(57)【要約】【課題】測定データに関連する付加データの欠損を検出することにより、欠損している場合にはユーザに知らせることができ、保存した測定データの信頼性を向上させた測定装置を提供する。【解決手段】入力信号をデジタル変換した測定データと、この測定データに関連付けられた付加データを内部メモリに格納した後に記憶媒体に格納する測定装置において、前記内部メモリに格納する前記付加データの数を、予め設定したデータ数に１データ加えたデータ数とし、前記記憶媒体に前記測定データと前記付加データを格納する時に、前記付加データの中で最も古いデータが前記測定データと関連付けられているか否かにより、前記付加データの上書きによる欠損を検出する欠損検出手段を設けたことを特徴とする測定装置。【選択図】　　　　図１
2004037223.tif 000002
【特許請求の範囲】
【請求項１】
入力信号をデジタル変換した測定データと、この測定データに関連付けられた付加データを内部メモリに格納した後に記憶媒体に格納する測定装置において、
前記内部メモリに格納する前記付加データの数を、予め設定したデータ数に１データ加えたデータ数とし、
前記記憶媒体に前記測定データと前記付加データを格納する時に、前記付加データの中で最も古いデータが前記測定データと関連付けられているか否かにより、前記付加データの上書きによる欠損を検出する欠損検出手段を設けたことを特徴とする測定装置。
【請求項２】
前記欠損検出手段がデータの欠損を検出した場合には所定の欠損情報を測定データまたは付加データに関連付けて記憶媒体に格納することを特徴とする請求項１に記載の測定装置。
【請求項３】
ネットワークに接続されて他の装置と通信を行う通信手段と、
この通信手段を介して前記測定データ、付加データ及び欠損情報を他の装置に送信する送信手段と、
を設けたことを特徴とする請求項２に記載の測定装置。
【請求項４】
前記付加データは、測定データを作成した時の装置の設定情報、ユーザの登録情報、測定時に発生したアラーム、メッセージ及び装置の操作履歴の少なくとも一つであることを特徴とする請求項１乃至請求項３のいずれかに記載の測定装置。
【請求項５】
前記欠損情報は、フラグ情報、所定の符号及びメッセージの少なくとも一つであることを特徴とする請求項２または請求項３に記載の測定装置。
【請求項６】
入力信号をデジタル変換した測定データと、この測定データに関連付けされた付加データを内部メモリに格納した後に記憶媒体に格納する測定装置において、
前記内部メモリに格納する前記付加データの数を、予め設定したデータ数に少なくとも１データ加えたデータ数とし、
格納されたデータが予め設定したデータ数を超えたことにより、上書きを事前に検出する上書き検出手段を設けたことを特徴とする測定装置。
【発明の詳細な説明】
【０００１】
【発明の属する技術分野】
本発明は、入力信号をデジタル変換して測定データを生成し記憶媒体に格納する測定装置に関し、特に測定データに関連付けて保存される付加データの欠損の検出に関するものである。
【０００２】
【従来の技術】
電気信号や所定のセンサの出力等の測定データをはじめとする様々なデータを長時間収集するのにあたり、内部メモリの容量が一杯になった時点で、最も古い測定データを最新の測定データが上書きするリングメモリと呼ばれる方式が用いられる。
【０００３】
これを図を用いて説明する。
図３は従来における測定装置の一例を示した構成図である。
図３において、測定回路１は入力信号を正規化し、Ａ／Ｄ変換して測定データを生成する。操作手段６は、ユーザの操作により装置の設定、メモリスタート、メモリストップ、アラームの設定、コメント入力等を行う。
【０００４】
制御手段８は、プロセッサ等から構成され装置全体の制御を司り、メモリスタートとメモリストップの操作もしくは予め設定された時間や予め設定されたデータ数の測定データの収集が完了した時点で、測定データを１つのブロックとして内部メモリ３に格納する。
さらに、測定データを管理する上でその信頼性を高めるため、測定データを作成した時の装置の設定情報、ユーザの登録情報、測定データ範囲で発生したアラーム、メッセージ、操作履歴情報等の測定データに関わるさまざまな情報を収集し付加データとして内部メモリ３に格納する。内部メモリ３は、測定データ保存部３１と付加データ保存部３２に分けられていて、上記の各データを該当するエリアに格納する。
【０００５】
制御手段８に設けられたファイル作成手段２１は、内部メモリ３に測定データのブロックが作成されたタイミングで、測定データ及び付加データをファイル形式で記憶媒体４に保存する。通信手段５は、作成されたファイルを制御手段８の制御下で予め設定した送信先にネットワークを介して送信する。送信には例えばＦＴＰ（Ｆｉｌｅ　Ｔｒａｎｓｆｅｒ　Ｐｒｏｔｏｃｏｌ）や電子メール等を用いる。これらのデータは内部メモリ３に格納される時に関連付けられるため、対応するデータを選択して保存したり、送信することができる。
【０００６】
【発明が解決しようとする課題】
内部メモリ３に保存できる測定データ数は有限であるため、長時間のデータを収集するために内部メモリが一杯になった時点で、最も古い測定データを最新の測定データが上書きする。この場合、内部メモリ３の測定データが上書きされる前に、記憶媒体４への保存もしくは通信手段５による送信が実行されるように制御手段８が管理する。例えば、制御手段８は、内部メモリ３に格納できるデータ数を上限として、設定された所定の数のデータを内部メモリ３に格納した時に、記憶媒体４への保存もしくは通信手段５による送信を実行する。これにより測定データは欠損なく取得できたことになる。
また、付加データも内部メモリ３に格納できるデータ数は有限であり、多量の付加データが生成された場合には、リングメモリにより最も古いデータには最新データが上書きされていく。
【０００７】
ここで、測定データについては、上書きされる前に制御手段８が記憶媒体４へのファイル保存もしくは通信手段５によるファイル送信を行うように制御を行っているが、付加データの上書きに関しては、その性質上、発生頻度が低いこと等により、同様の制御が行われていないのが現状である。そのため、付加データには上書きにより欠損が生じることがあり、欠損している場合であってもユーザはそれを認識することができないことになる。
測定データにとって上述したような情報をもつ付加データは、信頼性を確保する上で重要なものであり、付加データが欠損し、それがユーザに認識されない場合は測定データの信頼性が低下するという問題があった。
【０００８】
本発明は上述した問題点を解決するためになされたものであり、測定データに関連する付加データの欠損を検出することにより、欠損している場合にはユーザに知らせることができ、保存した測定データの信頼性を向上させた測定装置を提供することを目的とする。
【０００９】
【課題を解決するための手段】
本発明は次の通りの構成になった測定装置である。
【００１０】
（１）入力信号をデジタル変換した測定データと、この測定データに関連付けられた付加データを内部メモリに格納した後に記憶媒体に格納する測定装置において、
前記内部メモリに格納する前記付加データの数を、予め設定したデータ数に１データ加えたデータ数とし、
前記記憶媒体に前記測定データと前記付加データを格納する時に、前記付加データの中で最も古いデータが前記測定データと関連付けられているか否かにより、前記付加データの上書きによる欠損を検出する欠損検出手段を設けたことを特徴とする測定装置。
【００１１】
（２）前記欠損検出手段がデータの欠損を検出した場合には所定の欠損情報を測定データまたは付加データに関連付けて記憶媒体に格納することを特徴とする（１）に記載の測定装置。
【００１２】
（３）ネットワークに接続されて他の装置と通信を行う通信手段と、
この通信手段を介して前記測定データ、付加データ及び欠損情報を他の装置に送信する送信手段と、
を設けたことを特徴とする（２）に記載の測定装置。
【００１３】
（４）前記付加データは、測定データを作成した時の装置の設定情報、ユーザの登録情報、測定時に発生したアラーム、メッセージ及び装置の操作履歴の少なくとも一つであることを特徴とする（１）乃至（３）のいずれかに記載の測定装置。
【００１４】
（５）前記欠損情報は、フラグ情報、所定の符号及びメッセージの少なくとも一つであることを特徴とする（２）または（３）に記載の測定装置。
【００１５】
（６）入力信号をデジタル変換した測定データと、この測定データに関連付けされた付加データを内部メモリに格納した後に記憶媒体に格納する測定装置において、
前記内部メモリに格納する前記付加データの数を、予め設定したデータ数に少なくとも１データ加えたデータ数とし、
格納されたデータが予め設定したデータ数を超えたことにより、上書きを事前に検出する上書き検出手段を設けたことを特徴とする測定装置。
【００１６】
【発明の実施の形態】
図１は本発明の一実施例を示した構成図である。
図１において前出の図と同一のものは同一の符号を付けてその部分の説明を省略する。
【００１７】
測定データや付加データは、内部メモリ３に測定データのブロックが作成されたタイミングで、ファイル形式で記憶媒体４に保存されたり、通信手段５を介して予め設定した送信先に送信される。
【００１８】
欠損検出手段２２は、ファイル作成手段２１によって測定データのファイルが作成される際に、その測定データに対応した付加データが欠損していないかを検出する。
【００１９】
詳細には、制御手段２が、付加データを内部メモリ３の付加データ保存部３２に格納し、個々の付加データには、関連する測定データの番号を付加して測定データとの対応を可能とする。従って、ファイル作成手段２１が、ファイル化する測定データの番号と対応する付加データを選出して、ファイルに保存することができる。
【００２０】
付加データが格納されるメモリは有限であり、付加データ保存部のメモリが一杯になった時点で、最も古いデータは最新のデータによって上書きされる。
データの上書きが無いという判断は内部メモリ３内のデータの最も古いデータが測定データに対応していないことが分かればよい。
また、上書きがあったという判断は、格納開始点から付加データが予め設定されたデータ数を超えて古いデータを上書したことにより、最も古いデータも測定データに対応したデータになっていることで判断できる。
【００２１】
しかし、予め設定したデータ数と等しい数の付加データが格納されると、上書きされてはいないが、全ての付加データが測定データに対応していることとなり、上書きの有無が判断できない。
そこで付加データ保存部のデータ格納数を、予め設定したデータ数に１データを加えたデータ数とする。これにより予め設定したデータ数と等しい数の付加データが格納された時に、最も古い付加データとなるこの追加分のデータが、測定データに対応していないことで上書きされていないことが判断できる。
【００２２】
尚、予め設定したデータ数とは、装置において表示、データ解析及び保存等の処理の対象として必要なデータ数として決定されたり、メモリの容量により決定されるものである。
以上により、予め設定したデータ数に１データ加えるという簡単な改良で上書きによるデータの欠損検出を行うことができる。
【００２３】
欠損を検出した場合には、ファイル作成手段が、付加データにフラグ情報、符号、メッセージなどの欠損情報の少なくとも一つを加えて記憶媒体に保存する。ここで、フラグ情報は上書き有無の判別を行うための２値化情報であり、符号も欠損の有無を判別する目印となるものである。また、メッセージは、欠損が生じた旨を表すコメント等である。
この欠損情報を表示器（図示せず）で表示したり、通信手段によりネットワークを介して他の装置へ送信することにより付加データが欠損していることをユーザが認識できる。尚、送信には例えばＦＴＰ（Ｆｉｌｅ　Ｔｒａｎｓｆｅｒ　Ｐｒｏｔｏｃｏｌ）や電子メール等を用いる。
【００２４】
図２は本発明の他の実施例を示した構成図である。
図２で前出の図と同一のものは同一の符号を付けてその部分の説明は省略する。図２において前出の実施例と相違するところは、制御手段７に欠損検出手段の代わりに上書き検出手段７４を設けたことである。
【００２５】
上書き検出手段７４は、付加データの上書きによる欠損を事前に検出し、この事前検出によりファイル作成手段２１が付加データを記憶媒体４への保存や通信手段５を介したファイル送信を行う。これにより、付加データの欠損を防ぐことを可能とする。
【００２６】
詳細には、付加データ保存部３２へのデータ格納数は予め設定したデータ数よりも少なくとも１データ以上多く格納できるようにする。制御手段７により個々の付加データには、記憶媒体４への保存の完了情報が付加されていて、記憶媒体４へ保存済みか未保存かが検知できる。上書き検出手段７４は、記憶媒体４への未保存の付加データが、予め設定された数を超えたときに上書きを検出して、ファイル作成手段２１が未格納の付加データのファイルを作成し、記憶媒体４へのファイル保存や通信手段５によるファイル送信を行う。
【００２７】
これにより、付加データの上書きによる欠損を事前に検出し、この検出結果により付加データを記憶媒体へファイル保存したり、通信手段によりファイル送信を行うことができ付加データの欠損を防ぐことができる。
また、予め設定したデータ数よりも少なくとも１データ以上多く格納できることにより記憶媒体へのファイル保存や通信手段によるファイル送信等の処理時間にデータが上書きされるのを防ぐことができる。
【００２８】
【発明の効果】
本発明によれば、以下のような効果がある。
【００２９】
請求項１、２、５記載の発明によれば、測定データのファイルが作成される際に、その測定データに対応した付加データが欠損していないかを検出することができる。
また、予め設定したデータ数に１データ加えるという簡単な改良を施すことにより欠損検出できる。
さらに、測定データや付加データにフラグ情報、符号、メッセージなどの欠損情報を加えて記憶媒体に保存することにより、ユーザがデータ欠損を認識できユーザに注意を促してデータの信頼性を高めることができる。
【００３０】
請求項３記載の発明によれば、通信手段によりネットワークを介して他の装置へ送信することにより付加データが欠損していることをユーザが認識できる。
【００３１】
請求項４記載の発明によれば、ユーザの登録情報、測定時に発生したアラーム、メッセージ、装置の操作履歴などの測定データに関わる情報を測定データに関連付けて保存することにより測定データの信頼性を高めることができる。
また、これらの重要なデータが欠損したことを検出できる。
【００３２】
請求項６記載の発明によれば、付加データの上書きによる欠損を事前に検出し、この検出結果により付加データを記憶媒体へファイル保存したり、通信手段によりファイル送信を行うことができ付加データの欠損を防ぐことができる。
【００３３】
【図面の簡単な説明】
【図１】本発明の一実施例を示した構成図である。
【図２】本発明の他の実施例を示した構成図である。
【図３】従来における測定装置の一例を示した構成図である。
【符号の説明】
３　内部メモリ
４　記憶媒体
５　通信手段
２２　欠損検出手段
７４　上書き検出手段
【図１】
2004037223.tif 000003
【図２】
2004037223.tif 000004
【図３】
2004037223.tif 000005